(57)【要約】【課題】パテを研磨する治具であって、粉塵集塵機能付きのパテ研磨治具を提供する。【解決手段】パテ研磨治具１が、研磨部４を有する第１部材２と、捕集部１６と収容部１４を有する第２部材１０とからなり、パテを研磨する研磨部４の周囲に、研磨された粉塵の飛散を防止し捕集する捕集部１６と捕集された粉塵を収容する収容部１０を有しているので、研磨されたパテの粉塵が捕集部１６で捕集され収容部１０に収容されるので、外部に飛散することがなく、パテ研磨作業後のパテ粉塵の清掃作業をする必要がなく、また良好な作業環境を確保することができる。特に、収容部１０が研磨部４と捕集部１６との間に配設されているため、研磨されたパテの粉塵を飛散させることなく確実に捕集し、収容部へ収容することができる。【選択図】    図１
2012051066.tif 000002
【特許請求の範囲】
【請求項１】
パテを研磨する研磨部と、
該研磨部を囲む周囲に、
研磨された粉塵の飛散を防止し捕集する捕集部と、
捕集された粉塵を収容する収容部を有し、
該収容部が研磨部と捕集部との間に配設されていることを特徴とするパテ研磨治具。
【請求項２】
前記研磨部を有する第１部材と、
前記捕集部と収容部を有する第２部材とに分離可能な請求項１に記載のパテ研磨治具。
【請求項３】
前記研磨部を囲む少なくとも一辺において、捕集部が該一辺と平行に複数設けられている請求項１乃至２に記載のパテ研磨治具。
【請求項４】
第１部材が第２部材に対して取り付け位置を前記研磨部の研磨面方向に移動可能であり、
第１部材と第２部材の端部が、少なくとも一辺において一致する請求項３に記載のパテ研磨治具。
【発明の詳細な説明】
【技術分野】
【０００１】
本発明は、パテ研磨治具に関する。詳しくは、粉塵集塵機能付きのパテ研磨治具に関する。
【背景技術】
【０００２】
建物の内装としてクロス仕上げや塗装仕上げをする場合、下地として石膏ボードを施工したあとに、石膏ボード間の継ぎ目や石膏ボードを下地桟にビスで固定する際にできたビス孔などを埋めるために、石膏ボード表面にパテを塗る作業が行われる。
【先行技術文献】
【特許文献】
【０００３】
【特許文献１】特開平１０−１１３６０１号公報
【発明の概要】
【発明が解決しようとする課題】
【０００４】
しかし、パテが乾燥した後には、石膏ボード表面の不陸をなくすため、余分なパテを研磨する作業が行われる。このパテ研磨作業は、紙ヤスリなどで余分なパテを削りとるが、パテ研磨作業の際、研磨したパテの粉塵がまって、周辺をパテの粉塵で汚してしまい、作業終了後にパテの粉塵の除去する清掃を行わなければならなかった。特に、住宅では床面にフローリングを敷設する場合が多く、フローリングの目地部にパテの粉塵が詰まってしまうため清掃は大変なものとなっていた。
【０００５】
また、パテの粉塵が舞う研磨作業は作業者にとって、粉塵を吸ったり、目に入ったりする過酷な作業であり、作業環境の改善が望まれていた。  
【０００６】
本発明は、以上のような問題点に鑑み、パテを研磨する治具であって、粉塵集塵機能付きのパテ研磨治具を提供することを課題とする。
【課題を解決するための手段】
【０００７】
上記の課題は、
パテを研磨する研磨部と、
該研磨部を囲む周囲に、
研磨された粉塵の飛散を防止し捕集する捕集部と、
捕集された粉塵を収容する収容部を有し、
該収容部が研磨部と捕集部との間に配設されていることを特徴とするパテ研磨治具により解決される。
【０００８】
このパテ研磨治具は、パテを研磨する研磨部の周囲に、研磨された粉塵の飛散を防止し捕集する捕集部と捕集された粉塵を収容する収容部を有しているので、研磨されたパテの粉塵が捕集部で捕集され収容部に収容され、外部に飛散することがなく、パテ研磨作業後のパテ粉塵の清掃作業をする必要がなく、また良好な作業環境を確保することができる。特に、収容部が研磨部と捕集部との間に配設されているため、研磨されたパテの粉塵を飛散させることなく確実に捕集し、収容部へ収容することができる。
【０００９】
このパテ研磨機が、研磨部を有する第１部材と、捕集部と収容部を有する第２部材とに分離可能であるとよい。
【００１０】
パテ研磨機が第１部材と第２部材とに分離可能であるので、収容部に収容されたパテの粉塵の清掃作業を効率的に行うことができる。
【００１１】
また、パテ研磨機の研磨部を囲む少なくとも一辺において、捕集部が該一辺と平行に複数設けられているとよい。
【００１２】
捕集部が研磨部を囲む一辺と平行に複数設けられているので、捕集部が研磨部を囲む一辺と平行に１列設けられている場合より、確実にパテの粉塵の飛散を防止し、捕集することができる。特に、壁面などでパテ研磨治具を垂直にして使用する場合には、重力の影響で下向きに落下するパテの粉塵を確実に捕集することができる。
【００１３】
さらに、第１部材が第２部材に対して取り付け位置を前記研磨部の研磨面方向に移動可能であり、第１部材と第２部材の端部が、少なくとも一辺において一致するとよい。
【００１４】
第１部材と第２部材の端部が、一辺において一致させることができるので、パテ研磨治具の端部まで第１部材の研磨部が延伸し、入隅や窓の額縁の周辺部のおけるパテの研磨も確実に行うことができる。
【発明の効果】
【００１５】
本発明は以上のとおりであるから、パテを研磨する治具であって、粉塵集塵機能付きのパテ研磨治具を提供することができる。
【図面の簡単な説明】
【００１６】
【図１】本発明の第１実施形態のパテ研磨治具を示すものであって、図（イ）は、パテ研磨治具の正面図、図（ロ）は第１部材の正面図、図（ハ）は第２部材の正面図である。
【図２】第１部材を示すものであって、図（イ）は平面図、図（ロ）は図（イ）のＡ−Ａ線断面正面図、図（ハ）は図（イ）のＢ−Ｂ線断面側面図、図（ニ）は斜視図である。
【図３】第２部材を示すものであって、図（イ）は平面図、図（ロ）は図（イ）のＡ−Ａ線断面正面図、図（ハ）は図（イ）のＢ−Ｂ線断面側面図である。
【図４】パテ研磨治具の使用方法を示すものであって、図（イ）は天井のパテを研磨する状況を示す断面正面図、図（ロ）、（ハ）は収容部に収容されたパテの粉塵を清掃する状況を示す、それぞれ図３（イ）のＡ−Ａ線、Ｂ−Ｂ線の一部断面正面図である。
【図５】本発明の第２実施形態の第２部材を示すものであって、図（イ）は平面図、図（ロ）は図（イ）のＡ−Ａ線断面正面図、図（ハ）は図（イ）のＢ−Ｂ線断面側面図である。
【図６】第２実施形態のパテ研磨治具の使用方法を示すものであって、天井と壁面からなる入隅部のパテを研磨している状況を示す断面側面図である。
【発明を実施するための形態】
【００１７】
次に、本発明の実施形態を図面に基づいて説明する。
【００１８】
図１に示す本発明の第１の実施形態であるパテ研磨治具１において、２は第１部材、１０は第２部材である。
【００１９】
図２に示すように、第１部材２は平板状のプレート３の一方の面が研磨部４であり、もう一方の面には後述する第２部材と係合するための面ファスナー５，５と、パテ研磨治具１を操作するための持ち手６が取り付けられている。ここでは研磨部４として紙やすりが貼付されている。
【００２０】
図３に示すように、第２部材１０は、第１部材２係合する面ファスナー１２，１２と第１部材の持ち手６が挿通される挿通孔１３を有するベース部１１の周囲に断面視コの字型の凹部からなるパテの粉塵を収容する収容部１４‥を有する。収容部１４‥を形成する側壁の最端部は、ベース部１１側である内側に向かって鉤形に折り返される折り返し部１５‥を有し、折り返し部１５の外側には研磨された粉塵の飛散を防止し捕集する捕集部１６‥としての刷毛が貼付されている。なお、折り返し部１５‥は鉤形になっているので、収容部１４‥に収容されたパテの粉塵が収容部１４からこぼれ落ちることを防止することができる。
【００２１】
図１（イ）に示すように、第１部材２と第２部材１０とは、第１部材２の持ち手６を第２部材１０の挿通孔１３に挿通させ、それぞれの面ファスナー５‥，１２‥どうしを係合させることで一体化させることができ、一体化状態で、研磨部４が、第２部材１０の折り返し部１５よりも突出し、捕集部１６‥よりも突出しないようになされている。この第１部材２と第２部材１０が一体化したパテ研磨治具１は、研磨部４‥と捕集部１６‥との間に収容部１４‥が配設された状態となっている。また、長手方向のそれぞれの収容部１４，１４の開放部の一部には第１部材２がせり出し、収容部１４，１４に収容されたパテの粉塵が収容部１４，１４から零れ落ちないようになされている。
【００２２】
パテ研磨治具１は、下地として石膏ボードを施工したあとに、石膏ボード間の継ぎ目や石膏ボードを下地桟にビスで固定する際にできたビス孔などを埋めるために、石膏ボード表面にパテを塗った後、余分なパテを研磨して除去するときに使用する。
【００２３】
図４（イ）に示すように、天井面２３に貼られた石膏ボード表面に塗られたパテ２１を、パテ研磨治具１の研磨部４で研磨することで、余分なパテ２１を削り取ることができる。そして、パテ２１の粉塵２２は、パテ研磨治具１の最端部に取り付けられた捕集部１６としての刷毛により、飛散が防止され捕集され、研磨部４と捕集部１６との間に配設された収容部１４，１４に収容される。折り返し部１５‥は鉤形になっており、また、長手方向のそれぞれの収容部１４，１４の開放部の一部には第１部材２がせり出しているので、一旦収容部１４に収容されたパテの粉塵２２は外部へこぼれ落ちることがない。特に、壁面に対するパテの研磨など、パテ研磨治具１を垂直方向にして作業をする場合には、パテの粉塵が下方に落下することなく確実に収容することができる。
【００２４】
このパテ研磨治具１は、パテを研磨する研磨部４の周囲に、研磨された粉塵の飛散を防止し捕集する捕集部１６と捕集された粉塵を収容する収容部１４を有しているので、研磨されたパテの粉塵が捕集部１６で捕集され収容部１４に収容されるので、外部に飛散することがなく、パテ研磨作業後のパテ粉塵の清掃作業をする必要がなく、また良好な作業環境を確保することができる。特に、収容部１４が研磨部４と捕集部１６との間に配設されているため、研磨されたパテの粉塵２２を飛散させることなく確実に捕集し、収容部１４へ収容することができる。
【００２５】
パテ研磨作業終了後は、図４（ロ）、（ハ）に示すように、パテ研磨治具１を第１部材２と第２部材１０とに分離することで、収容部１４に収容されたパテの粉塵の清掃を容易にかつ効率的に行うことができる。つまり、第１部材２と第２部材１０との組み合わせにより、一旦収容したパテの粉塵が外部にこぼれ落ちるのを防ぎながら、清掃時には、第１部材２と第２部材１０とに分離することで、収容部１４に収容されたパテの粉塵の清掃を容易にかつ効率的に行うことができる。特に、図４（ハ）に示すように収容部１４の上方に第１部材２が覆い被さっている場合には、第１部材と第２部材１０とを分離することで、より効率的に収容部１４に収容されたパテの粉塵の清掃を行うことができる。
【００２６】
図５に示すのは、本発明の第２実施形態のパテ研磨治具３１において用いる第２部材３２である。第１部材は第１実施形態のパテ研磨治具１で用いた第１部材２と同一である。
【００２７】
図５に示すように、第２部材３２は、第１部材と係合する面ファスナー１２，１２と第１部材の持ち手６が挿通される挿通孔１３を有するベース部１１の周囲に断面視コの字型の凹部からなるパテの粉塵を収容する収容部１４‥を有し、収容部１４‥を形成する側壁の最端部は、ベース部１１側である内側に向かって鉤形に折り返される折り返し部を１５‥を有し、折り返し部１５の外側には研磨された粉塵の飛散を防止し捕集する捕集部１６‥としての刷毛が貼付されており、ベース部１１の長手方向の一方の端部側には、収容部１４と捕集部１５が２列平行に設けられている。
【００２８】
また、ベース部１１に設けられた挿通孔１３は、挿通される第１部材の持ち手６の長手方向の長さよりも長く、かつベース部１１の収容部１４と捕集部１５が２列平行に設けられている端部とは反対の端部側に偏心して穿孔されおり、第１部材２が第２部材３２に対して取り付け位置を研磨面方向に移動が可能となるようになされている。
【００２９】
図６に示すように、第１部材２と第２部材３１とは、第１部材２の持ち手６を第２部材３１の挿通孔１３に挿通させ、第１部材２と第２部材３１の長手方向の端部どうしが一致するように一体化される。
一体化状態で、研磨部４が、第２部材１０の折り返し部１５よりも突出し、捕集部１６‥よりも突出しないようになされている。
【００３０】
なお、第１部材２と第２部材３１とは、それぞれの面ファスナー５‥，１２‥どうしを係合させることで一体化させることができるようになされているので、第１部材２が第２部材３１に対して取り付け位置を研磨部４の研磨面方向に移動可能であり、第１部材２と第２部材３１の長手方向の端部どうしが一致するように一体化するだけでなく、第１実施例のように、長手方向の端部どうしが一致しないように一体化することも可能である。
【００３１】
図６に示すように、パテ研磨治具３１を使用することで、壁面３２の天井２３側の入隅部３３であっても、パテ研磨治具３１の端部まで研磨部４が延伸しているので、パテの研磨を残すことなく確実に行うことができる。また、捕集部が研磨部を囲む一辺と平行に複数設けられているので、捕集部が研磨部を囲む一辺と平行に１列設けられている場合より、確実にパテの粉塵の飛散を防止し、捕集することができる。特に、壁面などでパテ研磨治具を垂直方向にして使用する場合には、重力の影響で下向きに落下するパテの粉塵を確実に捕集することができる。
【００３２】
以上に、本発明の実施形態を示したが、本発明はこれに限られるものではなく、発明思想を逸脱しない範囲で各種の変更が可能である。例えば、上記実施形態では、ベース部の四周に収容部と捕集部を設けた場合について示したが、収容部は必ずしもベース部の四周にある必要はなく、ベース部の一部にあるだけでもよい。また、収容部の形状に限定はないのはいうまでもない。
【００３３】
また、上記実施形態では、パテ研磨治具が第１部材と第２部材とに分離可能である場合について示したが、第１部材と第２部材とに分離できない一体型であってもよく、さらには、２体以上に分離可能であってもよい。
【００３４】
また、上記の第２の実施形態では、天井部と壁面の入隅部を研磨する場合について示したが、適用できる箇所は窓の額縁の周辺部などどこであってもよい。
【産業上の利用可能性】
【００３５】
１・・・ パテ研磨治具
２・・・第１部材
４・・・研磨部
５，１２・・・面ファスナー
６・・・持ち手
１０・・・第２部材
１４・・・収容部
１５・・・折り返し部
１６・・・刷毛（捕集部）
【図１】
2012051066.tif 000003
【図２】
2012051066.tif 000004
【図３】
2012051066.tif 000005
【図４】
2012051066.tif 000006
【図５】
2012051066.tif 000007
【図６】
2012051066.tif 000008